(57)【要約】【課題】中空糸膜を備える膜分離活性汚泥装置であって、中空糸膜間での汚泥詰まりや、中空糸膜の表面の不均一なクロスフローを防止できる分離活性汚泥装置を提供する。【解決手段】膜分離活性汚泥装置２００は、吊り下げた複数の中空糸膜と、各中空糸膜の上部から各中空糸膜の表面に汚泥含有水２を伝い落す汚泥供給部とを含む中空糸膜モジュール２４を備える。汚泥含有水２が、中空糸膜の表面を伝い落ちながら覆うとともに、中空糸膜の表面全体に対して均一なクロスフローを形成する。【選択図】図２
2013215670.tif 000002
【特許請求の範囲】
【請求項１】
中空糸膜を用いて汚水を含む汚泥含有水を処理する膜分離活性汚泥装置であって、
吊り下げた複数の中空糸膜と、
前記各中空糸膜の上部に配置されていて前記各中空糸膜の表面に汚泥含有水を伝い落す汚泥供給部と、
を備える膜分離活性汚泥装置。
【請求項２】
前記汚泥供給部は、前記各中空糸膜の表面に汚泥含有水を噴射する汚泥噴射口を含む、請求項１に記載の膜分離活性汚泥装置。
【請求項３】
前記各中空糸膜の少なくとも一部が、汚泥含有水に浸漬する、請求項２に記載の膜分離活性汚泥装置。
【請求項４】
前記汚泥供給部に汚泥含有水を供給する沈殿槽をさらに備えた、請求項１〜３のいずれかに記載の膜分離活性汚泥装置。
【発明の詳細な説明】
【技術分野】
【０００１】
この発明は、膜分離活性汚泥装置の技術について、曝気によるクロスフローの不要な膜分離活性汚泥装置に関するものである。
【背景技術】
【０００２】
従来、中空糸膜を利用して下水や有機性排水等の汚水を処理する膜分離活性汚泥装置では、通常複数の中空糸膜からなる中空糸膜モジュールを汚泥含有水中に浸漬させて処理が行われている（例えば、特許文献１参照）。
【０００３】
図１に示すように、このような従来の膜分離活性汚泥装置１００は、一般的には生物反応槽１と、散気管３，１３と、膜分離槽１１と、中空糸膜モジュール１４と、ポンプ１５，１６，１７と、からなる構成を有している。
【０００４】
従来の膜分離活性汚泥装置において、原水となる汚水は、生物性汚泥を含む汚泥を蓄えた生物反応槽１に投入されて、汚泥含有水２を構成する。そして、散気管３は、生物反応槽１の下方に設置されて汚泥含有水２中で気泡を発生し、汚泥含有水２を曝気する。これにより生物性汚泥に酸素が供給される。投入された汚水は、この酸素によって生物性汚泥と混ざり合い、好気的に分解して浄化される。生物処理槽１で浄化された汚水を含む汚泥含有水２は、後段の膜分離槽１１へ移される。
【０００５】
膜分離槽１１において、中空糸膜モジュール１４は汚泥含有水１２に浸漬しており、散気管１３によって曝気される。そして、ポンプ１５によって中空糸膜の内部が吸引される。そうすると、汚泥含有水１２が中空糸膜によって固液分離され、浄化された汚水（処理水）のみが中空糸膜の内部を通って系外に排出される。膜分離槽２内に残留した汚泥の大部分は、ポンプ１６によって生物反応槽１に返送され、残りは余剰汚泥としてポンプ１７によって系外に排出されることで、必要とする汚泥量が常時汚水処理系内に留まるようになっている。
【先行技術文献】
【特許文献】
【０００６】
【特許文献１】特開平７−２５６２９４号公報（平成７年１０月９日公開）
【発明の概要】
【発明が解決しようとする課題】
【０００７】
しかしながら、従来の膜分離活性汚泥装置１００には、次のような課題がある。
汚泥含有水１２に浸漬された中空糸膜モジュール１４は、散気管１３からの曝気により引き起こされる下方からの上昇流により、中空糸膜間における汚泥の滞留が抑制される。しかし、中空糸膜の膜間距離、膜の揺動、散気管の曝気風量等のバランスによっては思うような効果が発揮されず、中空糸膜間に汚泥が滞留して詰まることがある。
【０００８】
また、中空糸膜モジュール１４下方からの散気管１３の曝気による上昇流により、上述した中空糸膜間における汚泥詰まりの抑制に加え、クロスフローによって中空糸膜の表面の洗浄を行っている。しかし、膜分離槽内部の構造、形状、配置等によっては乱流が発生するため、クロスフローが中空糸膜の表面全体に対して均一に作用せず、中空糸膜の表面の洗浄作用が不均一になることがある。
【０００９】
そこで、この発明は上記の課題を解決するためになされたものであり、その目的は、中空糸膜を備える膜分離活性汚泥装置であって、中空糸膜間での汚泥詰まりや、中空糸膜の表面全体に対する不均一なクロスフローを防止できる分離活性汚泥装置を提供することにある。
【課題を解決するための手段】
【００１０】
この発明の実施の形態によれば、分離活性汚泥装置は、上記課題を解決するために、中空糸膜を用いて汚水を含む汚泥含有水を処理する膜分離活性汚泥装置であって、吊り下げた複数の中空糸膜と、前記各中空糸膜の上部に配置されていて前記各中空糸膜の表面に汚泥含有水を伝い落す汚泥供給部と、を備える。
【００１１】
また、前記汚泥供給部は、前記各中空糸膜の表面に汚泥含有水を噴射する汚泥噴射口を含むことが好ましい。
【００１２】
また、前記各中空糸膜の少なくとも一部が、汚泥含有水に浸漬することが好ましい。
【００１３】
また、前記汚泥供給部に汚泥含有水を供給する沈殿槽をさらに備えることが好ましい。
【発明の効果】
【００１４】
この発明の実施の形態による分離活性汚泥装置は、汚泥含有水が中空糸膜の表面を伝い落ちながら覆う。そして、中空糸膜の表面全体に対して汚泥自体が均一なクロスフローを形成する。その結果、中空糸膜間で汚泥が滞留せず、中空糸膜の表面に汚泥が堆積することを防止する。したがって、この発明による分離活性汚泥装置は、汚泥含有水に浸漬した中空糸膜に対して曝気によりクロスフローを生じさせる従来の技術に比べて、中空糸膜間の汚泥詰まりを防止するとともに、中空糸膜の表面の洗浄作用を均一にすることができる。
【図面の簡単な説明】
【００１５】
【図１】従来の膜分離活性汚泥装置の構成を示す断面図である。
【図２】この発明の第一の実施の形態における膜分離活性汚泥装置の構成を示す断面図である。
【図３】図２に示す膜分離装置の断面図である。
【図４】図３に示す中空糸膜のＡ−Ａ’から見た断面図である。
【図５】この発明の第二の実施の形態における膜分離活性汚泥装置の構成を示す断面図である。
【図６】この発明の第三の実施の形態における膜分離活性汚泥装置の構成を示す断面図である。
【図７】図６に示す膜分離装置の断面図である。
【図８】この発明の第三の実施の形態における膜分離活性汚泥装置の他の構成を示す断面図である。
【発明を実施するための形態】
【００１６】
以下、図面を参照し、この発明の実施の形態を詳しく説明する。図中同一または相当部分の説明は繰り返さない。
【００１７】
（実施の形態１）
図２は、この発明の第一の実施の形態における膜分離活性汚泥装置２００の概念図である。図２を参照して、この発明の第一の実施の形態における膜分離活性汚泥装置２００は、生物反応槽１と、汚泥含有水２，２２と、散気管３と、ポンプ５，２５，２６，２７と、膜分離装置２０と、受水槽２１と、中空糸膜モジュール２４と、を備える。
【００１８】
まず、生物反応槽１について説明する。生物反応槽１には、生物性汚泥を含む汚泥含有水２が蓄えられ、ここに原水である汚水が槽外より連続的に投入される。そして、散気管３は、生物反応槽１の下方に設置されて汚泥含有水２中で気泡を発生し汚泥含有水２を曝気する。これにより生物性汚泥に酸素が供給される。投入された汚水は、この酸素によって生物性汚泥と混ざり合い、好気的に分解して浄化される。
【００１９】
次に、膜分離装置２０の構成について説明する。生物反応槽１は、ポンプ５を介して膜分離装置２０と配管で接続される。膜分離装置２０は、受水槽２１と、受水槽２１に溜まる汚泥含有水２２と、受水槽２１の上方に配置されていて、汚泥含有水２２に浸漬しないように吊り下げられた中空糸膜モジュール２４とから構成される。受水槽２１は、ポンプ２６に繋がる配管の一方端と接続される。ポンプ２７に繋がる配管の一方端は、受水槽２１とポンプ２６との間の配管に接続され、その他方端は、原水の導入ラインに配置される。
【００２０】
ここで、膜分離装置２０を構成する中空糸膜モジュール２４について、図３を用いて詳しく説明する。図３に示すように、中空糸膜モジュール２４は、複数の中空糸膜２４１と、処理水吸引ライン２４２と、汚泥分配管２４３と、からなる。
【００２１】
中空糸膜２４１は、水処理の技術分野で公知のＭＦ膜を好適に用いることができ、複数を集合して用いられる。その材質は例えば、ポリエチレン、ポリプロピレン、ポリカーボネート、ポリフッ化ビニリデン、ポリテトラフルオロエチレン等である。また、中空糸膜２４１の一方端は閉塞しているが、他方端は処理水吸引ライン２４２に接続される。処理水吸引ライン２４２は、ポンプ２５に通じている。
【００２２】
また、中空糸膜２４１は、それぞれ処理水吸引ライン２４２との接続側が上方に、閉塞した端部側が下方になるよう吊り下げられ、それらの方向は重力の作用で鉛直方向に保たれる。このとき、中空糸膜２４１は、処理水吸引ライン２４２によって支持されるが、汚泥分配管２４３あるいはその他の支持部材によって支持されてもよく、支持手段については特に限定されない。
【００２３】
汚泥分配管２４３の一方端は、分岐したパイプ状の開口部であり中空糸膜２４１と処理水吸引ライン２４２との接続部付近で、中空糸膜２４１の端部を覆うように配置される。中空糸膜２４１とそれを覆う汚泥分配管２４３との間には、中空糸膜２４１の外部表面に汚泥含有水２を静かに流すための小さな隙間（汚泥供給口）が設けられる。汚泥分配管２４３の開口部は、中空糸膜２４１を一本ずつ覆ってもよいし、複数本をユニットとしてまとめて覆ってもよい。そして、その他方端は、ポンプ５を介して生物反応槽１に配置される。なお、この例では、汚泥供給部として中空糸膜２４１を覆うパイプ状の汚泥分配管２４３を用いているが、中空糸膜２４１の外部表面に汚泥含有水２を静かに流すことができれば、汚泥供給部の形状は特に限定されない。
【００２４】
受水槽２１は、中空糸膜２４１から落下する汚泥含有水２２を受け止めるための容器となる。そのため、受水槽２１の容積は、少なくとも汚泥含有水２２がオーバーフローせず、かつ、中空糸膜２４１が浸漬しない程度に設定すればよい。
【００２５】
次に、膜分離装置２０の動作について、図２ないし図４を用いて説明する。図２および図３に示すように、前述したようにして生物反応槽１で浄化された汚泥含有水２をポンプ５でポンプアップし、中空糸膜モジュール２４に供給する。このとき、汚泥含有水２は、汚泥分配管２４３を通って中空糸膜２４１の上部に分配され、汚泥供給口から中空糸膜２４１の外部表面に沿って緩やかに流される。そして、汚泥含有水２は、中空糸膜２４１の外部表面を伝って自然落下する。
【００２６】
一方、中空糸膜２４１の内部は、処理水吸引ライン２４２を通じ、ポンプ２５によって吸引される。その結果、図４に示すように、中空糸膜２４１において多孔質の分離膜２４１ａの外部表面を伝って流れ落ちる汚泥含有水２中の水分は、落下しながら中空部２４１ｂからの吸引力によって分離膜２４１ａの孔を通じ中空部２４１ｂに移行する。そして、中空部２４１ｂに移行した処理水は、処理水吸引ライン２４２を通って系外に排出される。中空部２４１ｂに移行されずに残った汚泥含有水２の固形分や水分は、中空糸膜２４１の下端から落下して、中空糸膜２４１の下方に設けられた受水槽２１に溜まる。
【００２７】
受水槽２１に溜まった汚泥含有水２２は、その大部分がポンプ２６によって生物反応槽１に返送され、残りは余剰汚泥としてポンプ２７によって系外に排出されることで、必要とする汚泥量が常時汚水処理系内に留まる。
【００２８】
このようにして、膜分離活性汚泥装置２００は、汚泥含有水２を生物処理槽１において生物処理により浄化し、さらに膜分離装置２０において固形分を除去する処理により、処理水と汚泥含有水２２とに膜分離して、その処理が完了する。
【００２９】
次に膜分離装置２０の作用について説明する。図３に示すように、汚泥分配管２４３の筒状の開口部は、中空糸膜２４１の端部を覆うように配置される。その結果、汚泥分配管２４３から中空糸膜２４１の外部表面に対して汚泥含有水２を供給する際に、汚泥含有水２の拡がりを抑制することができるので、汚泥含有水２が中空糸膜２４１の外部表面を均一に伝って流れ落ちるようにすることができる。したがって、中空糸膜２４１の外部表面全体に対して汚泥自体が均一なクロスフローを形成し、中空糸膜２４１の外部表面に汚泥が堆積することを防止することができる。しかも、複数の中空糸膜２４１間で、汚泥含有水２が滞留することがないので、中空糸膜２４１間の汚泥詰まりを防止することができ、ひいては散気管による空糸膜モジュール２４の曝気が不要となって装置の構成を簡単にすることができる。
【００３０】
また、中空糸膜２４１は汚泥含有水１２に浸漬していないので、汚泥含有水２の供給を停止するときに、外部表面が露出する。そのため、中空糸膜２４１の内部に洗浄用薬液を逆流させてインライン洗浄を行う場合に、中空糸膜２４１の内部から外部に染み出た薬液が重力によって中空糸膜２４１の外部表面を伝い流れ落ちる。したがって、インライン洗浄を行うだけで、中空糸膜２４１の孔のみならず外部表面をも洗浄することができる。しかも、中空糸膜２４１の外部表面が露出するので、その外部表面の状態を容易に観察することができる。
【００３１】
さらに、汚泥含有水１２が中空糸膜２４１の外部表面を伝って流れ落ちる過程で、大気と直接触れるので、散気管によらずに自然な酸素供給が施される。したがって、生物反応槽１に返送される汚泥含有水２２の溶存酸素濃度を高く維持でき、生物反応槽１の処理効率を向上することができる。
【００３２】
（実施の形態２）
図５は、この発明の第二の実施の形態における膜分離活性汚泥装置４００の概念図である。第二の実施の形態における膜分離活性汚泥装置４００について、第一の実施の形態における膜分離活性汚泥装置２００との相違点を中心に説明する。図５を参照して、この発明の第二の実施の形態における膜分離活性汚泥装置４００は、生物反応槽１と、汚泥含有水２，３２，４２と、散気管３と、ポンプ３５，３６，３７，４５と、沈殿槽３１と、膜分離装置４０と、受水槽４１と、中空糸膜モジュール４４と、を備える。
【００３３】
膜分離活性汚泥装置４００は、沈殿槽１にて汚泥の固液分離を行う一般的な標準活性汚泥法に膜分離装置４０を付加したシステムである。
【００３４】
まず、沈殿槽３１について説明する。生物処理槽１で浄化された汚泥含有水２は、後段の膜分離槽３１へ移されさらに浄化される。膜分離槽３１における汚泥含有水３２は、上澄み液３２ａと沈殿物３２ｂとに分離し、上澄み液３２ａは処理水として系外に排出される。一方、沈殿した汚泥含有水３２ｂは、その大部分がポンプ３６によって生物反応槽１に返送され、残りは余剰汚泥としてポンプ３７によって系外に排出されることで、必要とする汚泥量が常時汚水処理系内に留まる。
【００３５】
また、ポンプ３５に繋がる配管が、その開口部を沈殿槽３１における汚泥含有水３２の上澄み液３２ａと沈殿物３２ｂとの目標とする汚泥界面付近に位置するようにして、設けられる。ポンプ３５は、沈殿槽３１の汚泥界面下から汚泥含有水３２を引き抜き、膜分離装置４０に送る。
【００３６】
次に、膜分離装置４０について説明する。膜分離装置４０は、受水槽４１と、受水槽４１に溜まる汚泥含有水４２と、受水槽４１の上方に配置されていて、汚泥含有水４２に浸漬しないように吊り下げられた中空糸膜モジュール４４とから構成される。膜分離装置４０は、第一の実施の形態における膜分離装置２０と同様にして、沈殿槽３１からの汚泥含有水３２を処理水と汚泥含有水４２とに固液分離する。処理水はポンプ４５によって系外に排出される。そして、汚泥含有水４２は中空糸膜モジュール４４から受水槽４１に落下し、生物処理槽１に汚泥返送される。
【００３７】
したがって、膜分離活性汚泥装置４００によれば、原水の急激な負荷変動や水温変動等によって沈殿槽３１における汚泥含有水３２の沈降不良が生じたとしても、汚泥を適宜引き抜いて膜分離装置４０で処理することができるので、沈殿槽３１における汚泥界面の位置を目標とする汚泥界面に戻すことができる。その結果、沈殿槽３１における汚泥のウォッシュアウトを緊急避難的に抑制することができる。
【００３８】
（実施の形態３）
図６は、この発明の第三の実施の形態における膜分離活性汚泥装置５００の概念図である。第三の実施の形態における膜分離活性汚泥装置５００について、第一の実施の形態における膜分離活性汚泥装置２００との相違点を中心に説明する。図５を参照して、この発明の第三の実施の形態における膜分離活性汚泥装置５００は、生物反応槽１と、汚泥含有水２，５２と、散気管３と、ポンプ５、５５，５６，５７と、膜分離装置５０と、膜分離塔５１と、中空糸膜モジュール５４と、を備える。
【００３９】
膜分離活性汚泥装置５００は、膜分離活性汚泥装置２００と比べて膜分離装置５０において相違する。そこで、膜分離装置５０の構成について、図７を用いて詳しく説明する。図７に示すように、膜分離装置５０を構成する中空糸膜モジュール５４は、複数の中空糸膜５４１と、処理水吸引ライン５４２と、汚泥分配管５４３と、からなる。
【００４０】
中空糸膜５４１は、第一の実施の形態における膜分離活性汚泥装置２００と同様に、水処理の技術分野で公知のＭＦ膜を好適に用いることができ、複数を集合して用いられる。また、中空糸膜５４１の一方端は閉塞しているが、他方端は処理水吸引ライン５４２に接続される。処理水吸引ライン５４２は、ポンプ５５に通じている。
【００４１】
汚泥分配管５４３の一方端は、分岐したパイプ状の開口部であり中空糸膜５４１と処理水吸引ライン５４２との接続部付近で、中空糸膜５４１の端部を覆うように配置される。中空糸膜５４１とそれを覆う汚泥分配管５４３との間には、中空糸膜５４１の外部表面に汚泥含有水２を噴射して勢いよく流すための小さな隙間（汚泥噴射口）が設けられる。汚泥分配管５４３の開口部は、中空糸膜５４１を一本ずつ覆ってもよいし、複数本をユニットとしてまとめて覆ってもよい。そして、その他方端は、ポンプ５を介して生物反応槽１に配置される。なお、この例では、汚泥供給部として中空糸膜５４１を覆うパイプ状の汚泥分配管５４３を用いているが、中空糸膜５４１の外部表面に汚泥含有水２を勢いよく流すことができれば、汚泥供給部の形状は特に限定されない。
【００４２】
また、膜分離装置５０を構成する膜分離塔５１は、膜分離槽５１１と、蓋体５１２と、排気口５１３と、からなる。
【００４３】
膜分離槽５１１は、中空糸膜５４１を勢いよく落下する汚泥含有水５２を受け止めるための容器であり、汚泥含有水５２を蓄えることを可能とするために汚泥分配管５４３の近傍まで延びている。また、膜分離槽５１１の開口部に設けられた蓋体５１２が、膜分離塔５１と中空糸膜モジュール５４との隙間を塞いでいる。したがって、図８に示すように、膜分離装置５０を横向きに配置したとしても、膜分離塔５１の内部から外部に汚泥含有水５２が漏出することなく、膜分離装置５０を稼働することができる。
【００４４】
また、膜分離槽５１１には、排気口５１３が設けられている。これにより、膜分離塔５１内の汚泥含有水５２の水位が高くなったとしても、膜分離塔５１内の空気が排気口５１３から排出されるので、膜分離塔５１内を大気圧に保つことができる。したがって、膜分離塔５１内に汚泥含有水５２を勢いよく流すことができる。
【００４５】
次に、膜分離装置５０の動作について、図６および図７を用いて説明する。前述したようにして生物反応槽１で浄化された汚泥含有水２をポンプ５でポンプアップし、中空糸膜モジュール５４に供給する。このとき、汚泥含有水２は、汚泥分配管５４３を通って中空糸膜５４１の上部に分配され、汚泥噴射口から中空糸膜５４１の外部表面に沿って噴射される。そして、汚泥含有水２は、中空糸膜５４１の外部表面を伝って勢いよく落下する。
【００４６】
一方、中空糸膜５４１の内部は、処理水吸引ライン５４２を通じ、ポンプ５５によって吸引される。その結果、中空糸膜５４１は、第一の実施の形態における中空糸膜２４１と同様にして、汚泥含有水２を処理水と汚泥含有水５２とに固液分離する。そして、処理水は、処理水吸引ライン５４２を通って系外に排出される。中空糸膜５４１で処理されずに残った汚泥含有水２の固形分や水分は、中空糸膜５４１の下端から勢いよく落下して、膜分離槽５１１に溜まる。
【００４７】
膜分離槽５１１に溜まった汚泥含有水５２は、ポンプ５６によって生物反応槽１に返送され、残りは余剰汚泥としてポンプ５７によって系外に排出されることで、必要とする汚泥量が常時汚水処理系内に留まる。
【００４８】
膜分離槽５１１から返送・排出されずに残った汚泥含有水５２は、膜分離槽５１１に溜まり汚泥含有水５２の水位を上昇させる。そして、中空糸膜５４１は、汚泥含有水５２に浸漬する。また、膜分離塔５１内で押し上げられた空気は、排気口５１３から膜分離塔５１外に排気される。
【００４９】
このようにして、膜分離活性汚泥装置５００は、汚泥含有水２を生物処理槽１において生物処理により浄化し、さらに膜分離装置５０において固形分を除去する処理により、処理水と汚泥含有水２２とに膜分離して、その処理が完了する。
【００５０】
次に、膜分離装置５０の作用について、図７を用いて説明する。膜分離装置５０は、前述した膜分離装置２０の作用に加えてさらに次の作用を有する。まず、中空糸膜５４１の外部表面において汚泥含有水５２に浸漬していない部分では、汚泥含有水２が噴射されて勢いよく流れ落ちる。したがって、汚泥自体が大きなクロスフローを形成し、中空糸膜５４１の外部表面に汚泥が堆積することをさらに防止することができる。
【００５１】
一方、中空糸膜５４１の外部表面において汚泥含有水５２に浸漬している部分では、クロスフローは汚泥含有水５２に浸漬していない部分と比べると弱まるものの十分に形成される。したがって、中空糸膜５４１の外部表面に汚泥が堆積することを防止することができる。
【００５２】
また、図８に示すような膜分離装置５０を横向きに配置する構成の場合、中空糸膜５４１の全部が汚泥含有水５２に浸漬する。この場合でも、中空糸膜５４１の外部表面においてクロスフローは十分に形成されるので、中空糸膜５４１の外部表面に汚泥が堆積することを防止することができる。これらのように、膜分離装置５０においては、中空糸膜５４１の少なくとも一部が汚泥含有水５２に浸漬していればよく、中空糸膜５４１の全部が汚泥含有水５２に浸漬していてもよい。
【００５３】
以上、膜分離活性汚泥装置５００について説明したが、膜分離装置５０を膜分離活性汚泥装置４００の膜分離装置４０に適用することもできる。
【００５４】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【産業上の利用可能性】
【００５５】
この発明は、膜分離活性汚泥装置に適用される。
【符号の説明】
【００５６】
１００，２００，４００，５００ … 膜分離活性汚泥装置
１０，２０，４０，５０ … 膜分離装置
１ … 生物反応槽
２，１２，２２，３２，４２，５２ … 汚泥含有水
３，１３ … 散気管
５，１５，１６，１７，２５，２６，２７，３５，３６，３７，４５，５５，５６，５７ … ポンプ
１１ … 膜分離槽
１４，２４，４４，５４ … 中空糸膜モジュール
２１，４１ … 受水槽
３１ … 沈殿槽
３２ａ … 上澄み液
３２ｂ … 沈殿物
２４１，５４１ … 中空糸膜
２４１ａ … 分離膜
２４１ｂ … 中空部
２４２，５４２ … 処理水吸引ライン
２４３，５４３ … 汚泥分配管
５１１ … 膜分離塔
５１２ … 蓋体
５１３ … 排気口
【図１】
2013215670.tif 000003
【図２】
2013215670.tif 000004
【図３】
2013215670.tif 000005
【図４】
2013215670.tif 000006
【図５】
2013215670.tif 000007
【図６】
2013215670.tif 000008
【図７】
2013215670.tif 000009
【図８】
2013215670.tif 000010